(57)【特許請求の範囲】
【請求項１】
電力線に接続される電力負荷に供給される第１電力の値と、前記電力負荷に対して電力を供給するべく前記電力線に接続される分散型電源から出力される第２電力の値と、の差分に応じた第３電力の値を予測する電力予測装置であって、
第１時間における前記第３電力の値と、前記第１時間よりも前の第２時間における前記第３電力の値及び前記第２時間における前記電力線が設けられている位置の気象情報と、の相関を示す相関式に基づいて、前記第３電力の値を予測する予測部、を備え、
前記相関式は、前記第１時間における前記第３電力の値と、前記第２時間における１以上の前記第３電力の値夫々と前記１以上の前記第３電力の値毎に値が定められる第１定数との積の総和と、の相関を示し、
前記第３電力を測定する測定装置と、
前記測定装置の測定結果に基づいて、前記第１定数の値を決定する第１決定部と、を更に備える
ことを特徴とする電力予測装置。
【請求項２】
前記相関式は、前記第１時間における前記第３電力の値と、前記第２時間における１以上の前記気象情報を示す値夫々と前記１以上の前記気象情報を示す値毎に値が定められる第２定数との積の総和と、の相関を更に示し、
前記電力線が設けられている位置の気象を観測する観測装置と、
前記観測装置の観測結果に基づいて、前記第２定数の値を決定する第２決定部と、を更に備える
ことを特徴とする請求項１に記載の電力予測装置。
【請求項３】
前記相関式は、前記第１時間における前記第３電力の値と、前記第２時間における１以上の前記気象情報を示す値夫々と前記１以上の前記気象情報を示す値毎に値が定められる第２定数との積の総和と、の相関を更に示し、
前記電力線が設けられている位置の気象を推定する推定装置と、
前記推定装置の推定結果に基づいて、前記第２定数の値を決定する第２決定部と、を更に備える
ことを特徴とする請求項１に記載の電力予測装置。
【請求項４】
前記気象情報は、前記電力線が設けられている位置の気温を示す情報、を含む
ことを特徴とする請求項１乃至３の何れかに記載の電力予測装置。
【請求項５】
前記気象情報は、前記電力線が設けられている位置の雲量を示す情報、を含む
ことを特徴とする請求項４に記載の電力予測装置。
【請求項６】
前記気象情報は、前記電力線が設けられている位置の風速を示す情報、を含む
ことを特徴とする請求項５に記載の電力予測装置。
【請求項７】
前記分散型電源は、太陽光発電装置である
ことを特徴とする請求項５又は６に記載の電力予測装置。
【請求項８】
前記分散型電源は、風力発電装置である
ことを特徴とする請求項６に記載の電力予測装置。
【請求項９】
前記電力負荷は、所定地域における複数区域内に夫々設けられ、
前記分散型電源は、前記複数区域内に夫々設けられ、
前記予測部は、
前記複数区域内における前記第３電力の値を夫々予測する第１予測部と、
前記第１予測部の予測結果の総和に基づいて、前記所定地域における前記第３電力の値を予測する第２予測部と、を有する
ことを特徴とする請求項１乃至８の何れかに記載の電力予測装置。
【発明の詳細な説明】
【技術分野】
【０００１】
本発明は、電力予測装置に関する。
【背景技術】
【０００２】
例えば、電力負荷と分散型電源とが接続される配電線を有する配電系統が知られている（例えば特許文献１）。
【先行技術文献】
【特許文献】
【０００３】
【特許文献１】特開２０１２−１４７５７６号公報
【発明の概要】
【発明が解決しようとする課題】
【０００４】
一般に、特許文献１の配電系統を含め、電力負荷と分散型電源とが接続される配電線を有する配電系統において、配電線に対しては、当該配電線の上流側の変電所から電力が供給される。この変電所から配電線への電力の供給は、例えば、電力負荷に供給される電力の値と分散型電源から出力される電力の値との差分に応じた電力（以下、「需要家から出力される電力」とも称する）の値を予測し、当該予測結果に基づいて行われる。従って、需要家から出力される電力の値の予測精度を向上させる必要がある。しかし、需要家から出力される電力の値は、配電線が設けられている位置の気象条件の変動等に応じて、比較的大きく変動することがある。このため、需要家から出力される電力の値を予測する予測精度が低下する虞がある。
【課題を解決するための手段】
【０００５】
前述した課題を解決する主たる本発明は、電力線に接続される電力負荷に供給される第１電力の値と、前記電力負荷に対して電力を供給するべく前記電力線に接続される分散型電源から出力される第２電力の値と、の差分に応じた第３電力の値を予測する電力予測装置であって、第１時間における前記第３電力の値と、前記第１時間よりも前の第２時間における前記第３電力の値及び前記第２時間における前記電力線が設けられている位置の気象情報と、の相関を示す相関式に基づいて、前記第３電力の値を予測する予測部、を備え、前記相関式は、前記第１時間における前記第３電力の値と、前記第２時間における１以上の前記第３電力の値夫々と前記１以上の前記第３電力の値毎に値が定められる第１定数との積の総和と、の相関を示し、前記第３電力を測定する測定装置と、前記測定装置の測定結果に基づいて、前記第１定数の値を決定する第１決定部と、を更に備えることを特徴とする電力予測装置である。
【０００６】
本発明の他の特徴については、添付図面及び本明細書の記載により明らかとなる。
【発明の効果】
【０００７】
本発明によれば、電力負荷に供給される電力の値と、分散型電源から出力される電力の値と、の差分に応じた電力の値の予測精度を向上させることができる。
【図面の簡単な説明】
【０００８】
【図１】本発明の第１実施形態における配電系統を示す図である。
【図２】本発明の第１実施形態におけるメッシュを示す図である。
【図３】本発明の第１及び第２実施形態における予測装置の機能を示すブロック図である。
【図４】本発明の第１実施形態における設備情報を示す図である。
【図５】本発明の第１実施形態における潮流情報を示す図である。
【図６】本発明の第１及び第２実施形態における気象情報を示す図である。
【図７】本発明の第１及び第２実施形態における過去情報を示す図である。
【図８】本発明の第１実施形態における未来の時刻と予測部による予測結果とを示す図である。
【図９】本発明の第１実施形態における予測装置の動作を示すフローチャートである。
【図１０】本発明の第１実施形態における予測装置の予測結果の一例を示す図である。
【図１１】本発明の第２実施形態における配電系統を示す図である。
【発明を実施するための形態】
【０００９】
本明細書および添付図面の記載により、少なくとも以下の事項が明らかとなる。
【００１０】
[第１実施形態]
＝＝＝配電系統＝＝＝
以下、図１を参照して、本実施形態における配電系統について説明する。図１は、本実施形態における配電系統を示す図である。
【００１１】
配電系統１００は、例えば負荷Ｒ３乃至Ｒ５（電力負荷）及び負荷Ｒ６に対して変電所２００からの電力を供給するための電力系統である。
【００１２】
配電系統１００は、変電所２００、予測装置８、気象観測装置７１、７２（観測装置）、気象情報装置７３、需要家３００、４００、５００、配電線Ｌ１０（電力線）、負荷Ｒ６を有する。尚、例えば、配電系統１００に設けられる配電線の本数は、２本以上の複数本であってもよい。又、配電系統１００においては、説明の便宜上、メッシュＮ１乃至Ｎ１５（図２）のうちの、メッシュＮ１内の需要家３００、４００と、メッシュＮ２内の需要家５００が示されている。尚、メッシュＮ１乃至Ｎ１５が、複数の区域に相当する。メッシュＮ１乃至Ｎ１５については後述する。
【００１３】
変電所２００は、上流側から供給された電力を降圧して、当該降圧された電力を配電線Ｌ１０に供給するための、例えば配電用変電所である。変電所２００は、配電用変圧器２０１、母線Ｌ２を有する。
【００１４】
配電用変圧器２０１は、例えば一次側の電圧を所定の変圧比で変圧して、当該変圧された電圧を二次側から出力する装置である。配電用変圧器２０１の一次側は、送電線Ｌ２００の一端に接続される。尚、送電線Ｌ２００は、例えば変電所２００よりも上流側の一次変電所（不図示）からの電圧を、変電所２００に供給するための送電線である。配電用変圧器２０１の二次側は、母線Ｌ２に接続される。
【００１５】
母線Ｌ２は、配電用変圧器２０１からの電力を配電線Ｌ１０に供給するための電力線であり、例えば変電所２００内に設けられる。
【００１６】
配電線Ｌ１０は、上流側の変電所２００から下流側に向かって延在する電力線である。配電線Ｌ１０における上流側の一端は、母線Ｌ２における接続点Ｃ２に接続される。
【００１７】
需要家３００、４００、５００は、配電線Ｌ１０に接続されている。尚、需要家３００、４００、５００については、後述する。
【００１８】
負荷Ｒ６は、配電線Ｌ１０における接続点Ｃ６１に接続される電力負荷である。
【００１９】
気象観測装置７１は、気象観測装置７１が設けられている位置の気象を観測するための装置である。気象観測装置７１は、メッシュＮ１（図２）の気象を観測できるように、メッシュＮ１内の所定位置に設けられる。尚、気象観測装置７１については、後述する。気象観測装置７２は、気象観測装置７２が設けられている位置の気象を観測するための装置である。気象観測装置７２は、メッシュＮ２（図２）の気象を観測できるように、メッシュＮ２内の所定位置に設けられる。尚、気象観測装置７２については、後述する。
【００２０】
気象情報装置７３は、例えば、気象庁７００に設けられ、ＧＰＶ（Ｇｒｉｄ Ｐｏｉｎｔ Ｖａｌｕｅ）データを示す気象信号Ｓ７３を出力する装置である。尚、ＧＰＶデータには、例えば、メッシュＮ１乃至Ｎ１５夫々における、気温、湿度、降水量、雲量、気圧、風向、風速、日射量（以下、「気温等」とも称する）を示す情報が含まれているものとする。ＧＰＶデータには、過去の気温等を示す情報、及び、未来の気温等の予測値を示す情報が含まれているものとする。又、気象情報装置７３は、メッシュＮ１乃至Ｎ１５夫々における、過去及び未来の、気温等を、例えば所定のプログラムに基づいてシミュレーション等によって推定及び予測しているものとする。
【００２１】
予測装置８は、例えば、メッシュＮ１乃至Ｎ１５夫々における余剰電力の値を予測する装置である。尚、メッシュＮ１乃至Ｎ１５夫々における余剰電力の値を予測する予測装置８の機能が、第１予測部に相当する。メッシュＮ１乃至Ｎ１５夫々における余剰電力については、後述する。更に、予測装置８は、例えば、所定地域Ｎ１００（図２）における余剰電力の値を予測する。尚、所定地域Ｎ１００における余剰電力の値を予測する予測装置８の機能が、第２予測部に相当する。尚、予測装置８、所定地域Ｎ１００における余剰電力については後述する。
【００２２】
＝＝＝メッシュ＝＝＝
以下、図２を参照して、本実施形態におけるメッシュについて説明する。図２は、本実施形態におけるメッシュを示す図である。
【００２３】
メッシュＮ１乃至Ｎ１５は、例えば日本列島における中国地方等の所定地域Ｎ１００及び当該所定地域Ｎ１００の周辺を所定の規則に基づいて区画して形成される領域である。メッシュＮ１乃至Ｎ１５は、例えば、気象情報装置７３から出力される気象信号Ｓ７３に示されるＧＰＶデータに対応した領域である。メッシュＮ１乃至Ｎ１５は夫々、例えば、２０キロメートル四方の略矩形の領域である。尚、メッシュＮ１乃至Ｎ１５は夫々、例えば、５キロメートル四方の略矩形の領域であることとしてもよい。
【００２４】
メッシュＮ１には、説明の便宜上、需要家３００、４００の例えば２個の需要家が設けられ、メッシュＮ２には、説明の便宜上、需要家５００の例えば１個の需要家が設けられていることとする。メッシュＮ３乃至Ｎ１５には、説明の便宜上、例えば、需要家３００乃至５００のうちの何れかと同様な構成の需要家が所定個数だけ設けられていることとする。
【００２５】
＝＝＝需要家＝＝＝
以下、図１を参照して、本実施形態における需要家について説明する。
【００２６】
需要家３００は、例えば、メッシュＮ１内に設けられる。需要家３００は、配電線Ｌ３（電力線）、負荷Ｒ３、発電機Ｇ３（分散型電源）、測定装置Ｍ３を有する。
【００２７】
配電線Ｌ３は、配電線Ｌ１０と、負荷Ｒ３及び発電機Ｇ３との間に接続される電力線である。配電線Ｌ３の一端は、配電線Ｌ１０における接続点Ｃ３１に接続される。配電線Ｌ３の他端は、接続点Ｃ３２において負荷Ｒ３及び発電機Ｇ３の双方に接続される。
【００２８】
負荷Ｒ３は、接続点３２及び配電線Ｌ３を介して配電線Ｌ１０の接続点Ｃ３１に接続される電力負荷である。負荷Ｒ３は、負荷Ｒ３の動作状態に応じて、電力Ｐ３１１（第１電力）が供給される。つまり、電力Ｐ３１１は、負荷Ｒ３で消費されることとなる。
【００２９】
発電機Ｇ３は、例えば太陽光発電装置又は風力発電装置等の分散型電源である。発電機Ｇ３は、接続点Ｃ３２及び配電線Ｌ３を介して配電線Ｌ１０の接続点Ｃ３１に接続される。つまり、発電機Ｇ３は、例えば負荷Ｒ３等に対して電力を供給するべく配電線Ｌ３及び配電線Ｌ１０に接続されている。発電機Ｇ３は、発電機Ｇ３の発電量に応じて、電力Ｐ３１２（第２電力）を出力する。
【００３０】
測定装置Ｍ３は、配電線Ｌ３における接続点Ｃ３２から接続点Ｃ３１に供給される電力Ｐ３１（第３電力）を測定し、当該測定結果を示す測定信号Ｓ３を出力する装置である。つまり、測定装置Ｍ３は、需要家３００から配電線Ｌ１０に供給される電力Ｐ３１を測定し、当該測定結果を示す測定信号Ｓ３を出力する。尚、測定信号Ｓ３は、測定装置Ｍ３の測定結果を示す情報と当該測定が行われた時刻（現在の時刻）を示す情報とが対応付けられている信号であることとする。
【００３１】
例えば、配電線Ｌ３における接続点Ｃ３２から接続点Ｃ３１に向かって電力Ｐ３１が供給されているとき（配電線Ｌ１０が逆潮流のとき）における、測定装置Ｍ３の測定結果は、例えば、電力Ｐ３１の値に応じた値となる。一方、例えば、配電線Ｌ３における接続点Ｃ３１から接続点Ｃ３２に向かって電力が供給されているとき（配電線Ｌ１０が順潮流のとき）における、測定装置Ｍ３の測定結果は、例えば、０（ゼロ）となることとする。
【００３２】
需要家４００は、例えば、メッシュＮ１内に設けられる。需要家４００は、配電線Ｌ４（電力線）、負荷Ｒ４、発電機Ｇ４（分散型電源）、測定装置Ｍ４を有する。配電線Ｌ４、負荷Ｒ４、発電機Ｇ４、測定装置Ｍ４の構成は夫々、需要家３００における配電線Ｌ３、負荷Ｒ３、発電機Ｇ３、測定装置Ｍ３の構成と同様であるので、その説明については省略する。尚、負荷Ｒ４に供給される電力Ｐ４１１が、第１電力に相当する。発電機Ｇ４から出力される電力Ｐ４１２が、第２電力に相当する。
【００３３】
需要家５００は、例えば、メッシュＮ２内に設けられる。需要家５００は、配電線Ｌ５（電力線）、負荷Ｒ５、発電機Ｇ５（分散型電源）、測定装置Ｍ５を有する。配電線Ｌ５、負荷Ｒ５、発電機Ｇ５、測定装置Ｍ５の構成は夫々、需要家３００における配電線Ｌ３、負荷Ｒ３、発電機Ｇ３、測定装置Ｍ３の構成と同様であるので、その説明については省略する。尚、負荷Ｒ５に供給される電力Ｐ５１１が、第１電力に相当する。発電機Ｇ５から出力される電力Ｐ５１２が、第２電力に相当する。
【００３４】
尚、メッシュＮ３乃至Ｎ１５に設けられている需要家の構成は、需要家３００の構成と同様であるので、その説明は省略する。
【００３５】
尚、予測装置８、気象観測装置７１、７２、測定装置Ｍ３、Ｍ４、Ｍ５が、電力予測装置に相当する。
【００３６】
＝＝＝需要家から配電線に供給される電力＝＝＝
以下、図１を参照して、本実施形態における需要家から配電線に供給される電力について説明する。
【００３７】
需要家３００から配電線Ｌ１０に供給される電力Ｐ３１と、需要家４００から配電線Ｌ１０に供給される電力Ｐ４１と、需要家５００から配電線Ｌ１０に供給される電力Ｐ５１とは同様な構成であるので、電力Ｐ３１についてのみ説明し、電力Ｐ４１の説明及び電力Ｐ５１の説明については省略する。
【００３８】
例えば、負荷Ｒ３の動作状態及び発電機Ｇ３の発電量に応じて、電力Ｐ３１１の値が電力Ｐ３１２の値よりも大きくなることがある。この場合、配電線Ｌ３においては、接続点Ｃ３１から接続点Ｃ３２に向かって電力が供給される。つまり、配電線Ｌ１０から需要家３００に対して電力が供給されることになる。
【００３９】
一方、例えば、負荷Ｒ３の動作状態及び発電機Ｇ３の発電量に応じて、電力Ｐ３１１の値が電力Ｐ３１２の値よりも小さくなることがある。この場合、配電線Ｌ３においては、接続点Ｃ３２から接続点Ｃ３１に向かって電力Ｐ３１が供給される。つまり、需要家３００から配電線Ｌ１０に対して電力Ｐ３１が供給されることになる。そして、電力Ｐ３１の値は、例えば、電力Ｐ３１１の値と電力Ｐ３１２の値との差分に応じて定められることになる。
【００４０】
＝＝＝気象観測装置＝＝＝
以下、図１を参照して、本実施形態における気象観測装置について説明する。
【００４１】
気象観測装置７１は、前述したように、メッシュＮ１における気象を観測する。気象観測装置７１は、メッシュＮ１における、気温、湿度、降水量、雲量、気圧、風向、風速を観測して、当該観測結果を示す観測信号Ｓ７１を出力する。尚、観測信号Ｓ７１は、気象観測装置７１の観測結果を示す情報と当該観測が行われた時刻（現在の時刻）を示す情報とが対応付けられている信号であることとする。
【００４２】
気象観測装置７２は、前述したように、メッシュＮ２における気象を観測する。気象観測装置７２は、メッシュＮ２における、気温、湿度、降水量、雲量、気圧、風向、風速を観測して、当該観測結果を示す観測信号Ｓ７２を出力する。尚、観測信号Ｓ７２は、気象観測装置７２の観測結果を示す情報と当該観測が行われた時刻（現在の時刻）を示す情報とが対応付けられている信号であることとする。
【００４３】
尚、メッシュＮ３乃至Ｎ１５にも夫々、メッシュＮ３乃至Ｎ１５夫々における気象を観測する気象観測装置（不図示）が設けられる。メッシュＮ３乃至Ｎ１５夫々における気象を観測する気象観測装置の構成は、気象観測装置７１の構成と同様であるので、その説明については省略する。
【００４４】
＝＝＝予測装置＝＝＝
以下、図１及び図３を参照して、本実施形態における予測装置について説明する。図３は、本実施形態における予測装置の機能を示すブロック図である。
【００４５】
予測装置８は、例えば、メッシュＮ１乃至Ｎ１５夫々における余剰電力（第３電力）の値を予測（余剰電力の予測値を算出）する。具体的には、予測装置８は、測定信号Ｓ３、Ｓ４、観測信号Ｓ７１等に基づいて、メッシュＮ１における余剰電力の値を予測する。又、予測装置８は、測定信号Ｓ５、観測信号Ｓ７２等に基づいて、メッシュＮ２における余剰電力の値を予測する。又、予測装置８は、メッシュＮ３乃至Ｎ１５夫々に設けられている需要家の測定装置から出力される測定信号、メッシュＮ３乃至Ｎ１５夫々に設けられている気象観測装置から出力される観測信号等に基づいて、メッシュＮ３乃至Ｎ１５夫々における余剰電力の値を予測する。
【００４６】
更に、予測装置８は、例えば、所定地域Ｎ１００における余剰電力の値を予測（余剰電力の予測値を算出）する。
【００４７】
尚、メッシュＮ１における余剰電力とは、メッシュＮ１内の需要家３００、４００からメッシュＮ１外の例えば需要家、電力負荷等に供給される電力を示す。メッシュＮ１における余剰電力の値は、メッシュＮ１内の需要家（例えば、需要家３００、４００）からメッシュＮ１外に出力される電力の値の総和である。つまり、メッシュＮ１における余剰電力の値は、例えば、配電線Ｌ３における接続点Ｃ３２から接続点Ｃ３１に供給される電力Ｐ３１の値と、配電線Ｌ４における接続点Ｃ４２から接続点Ｃ４１に供給される電力Ｐ４１の値との和である。又、メッシュＮ１における余剰電力の値は、電力Ｐ３１１の値及び電力Ｐ４１１の値の和と、電力Ｐ３１２の値及び電力Ｐ４１２の値の和と、の差分に応じて定められることとなる。
【００４８】
又、メッシュＮ２における余剰電力とは、メッシュＮ２内の需要家５００からメッシュＮ２外の例えば需要家、電力負荷等に供給される電力を示す。メッシュＮ２における余剰電力の値は、メッシュＮ２内の需要家（例えば、需要家５００）からメッシュＮ２外に出力される電力の値の総和である。つまり、メッシュＮ２における余剰電力の値は、例えば、配電線Ｌ５における接続点Ｃ５２から接続点Ｃ５１に供給される電力Ｐ５１の値である。又、メッシュＮ２における余剰電力の値は、電力Ｐ５１１の値と電力Ｐ５１２の値との差分に応じて定められることとなる。
【００４９】
又、メッシュＮ３乃至Ｎ１５夫々における余剰電力の構成は、メッシュＮ１における余剰電力の構成と同様であるので、その説明については省略する。
【００５０】
又、所定地域Ｎ１００における余剰電力の値とは、メッシュＮ１乃至Ｎ１５夫々における余剰電力の値の総和である。所定地域Ｎ１００における余剰電力は、例えば、配電線Ｌ１０に接続されている負荷Ｒ６等に供給される。つまり、所定地域Ｎ１００における余剰電力の値は、例えば、所定地域Ｎ１００（メッシュＮ１乃至Ｎ１５）内の需要家（需要家３００、４００、５００、メッシュＮ３乃至Ｎ１５に設けられている需要家）以外の例えば負荷Ｒ６等の電力負荷に対して供給できる電力の値を示している。
【００５１】
ここで、測定信号Ｓ３、Ｓ４、Ｓ５、メッシュＮ３乃至Ｎ１５夫々に設けられている需要家の測定装置から出力される測定信号、観測信号Ｓ７１、Ｓ７２、メッシュＮ３乃至Ｎ１５夫々に設けられている気象観測装置から出力される観測信号を、「各信号」とも称することとする。又、測定装置Ｍ３、Ｍ４、Ｍ５、メッシュＮ３乃至Ｎ１５夫々に設けられている需要家の測定装置、気象観測装置７１、７２、メッシュＮ３乃至Ｎ１５夫々に設けられている気象観測装置を、「各装置」とも称することとする。
【００５２】
予測装置８は、入力部８１、出力部８２、表示部８３、送受信部８４、記憶部８５、予測式生成部８６（第１決定部、第２決定部）、予測部８７、制御部８８を有する。
【００５３】
入力部８１は、予測装置８に対して情報を入力するための例えばキーボードである。
【００５４】
出力部８２は、予測装置８の外部に情報を出力するための例えばプリンタである。
【００５５】
表示部８３は、予測装置８に入力された情報を表示したり、予測装置８から出力される情報を表示したりするための例えばモニタである。
【００５６】
送受信部８４は、各装置と通信を行う。予測装置８は、各装置との間で通信できるように、例えば通信ケーブル（不図示）又は無線通信ネットワーク（不図示）を介して各装置と接続されているものとする。送受信部８４は、各装置から出力された各信号を、例えば３０分毎等の所定周期で受信する。尚、各信号は、例えば、所定周期で各装置から出力されることとしてもよい。又、各信号は、例えば、所定周期で送受信部８４から各装置に対して送信される要求信号（不図示）に基づいて出力されることとしてもよい。尚、送受信部８４が受信する各信号に示されている現在の時刻（測定が行われた時刻）は、例えば相互に同期がとれているものとする。
【００５７】
記憶部８５は、例えば、第１の領域８５１、第２の領域８５２、第３の領域８５３を有する。
【００５８】
第１の領域８５１には、例えば、予測装置８を動作させるためのプログラムが記憶されている。第１の領域８５１には、更に、例えば、予測式を生成するためのプログラム、予測を行うためのプログラムが記憶されている。尚、予測式については、後述する。
【００５９】
第２の領域８５２には、例えば、設備情報Ｚ１（図４）、潮流情報Ｚ２（図５）、気象情報Ｚ３（図６）が記憶される。尚、設備情報Ｚ１、潮流情報Ｚ２、気象情報Ｚ３については、後述する。
【００６０】
第３の領域８５３には、例えば、過去情報Ｚ４（図７）が記憶される。尚、過去情報Ｚ４については、後述する。
【００６１】
予測式生成部８６は、例えば設備情報Ｚ１、潮流情報Ｚ２、気象情報Ｚ３等に基づいて、過去情報Ｚ４を生成し、当該過去情報Ｚ４を第３の領域８５３に記憶させる。予測式生成部８６は、過去情報Ｚ４等に基づいて、メッシュＮ１乃至Ｎ１５毎に予測式（相関式）を生成する。尚、予測式は、メッシュＮ１乃至Ｎ１５夫々における余剰電力の値を予測するための数式である。尚、メッシュＮ１における余剰電力の値を予測するための予測式と、メッシュＮ２乃至Ｎ１５における余剰電力の値を予測するための予測式夫々とは、同様な構成であるので、メッシュＮ１における余剰電力の値を予測するための予測式についてのみ説明し、メッシュＮ２乃至Ｎ１５における余剰電力の値を予測するための予測式夫々については、その説明を省略する。尚、予測式については、後述する。
【００６２】
予測部８７は、予測式生成部８６で生成された予測式に基づいて、メッシュＮ１乃至Ｎ１５夫々における余剰電力の予測値を算出する。又、予測部８７は、算出されたメッシュＮ１乃至Ｎ１５夫々における余剰電力夫々の予測値に基づいて、所定地域Ｎ１００における余剰電力の予測値を算出する。尚、予測部８７については、後述する。
【００６３】
制御部８８は、例えば予測式を生成するためのプログラムに基づいて、予測式生成部８６を制御する。制御部８８は、例えば予測を行うためのプログラムに基づいて、予測部８７を制御する。制御部８８は、例えば予測装置８を動作させるためのプログラムに基づいて、予測装置８の動作を制御する。
【００６４】
＝＝＝設備情報＝＝＝
以下、図４を参照して、本実施形態における設備情報について説明する。図４は、本実施形態における設備情報を示す図である。尚、設備情報Ｚ１においては、説明の便宜上、メッシュＮ１、Ｎ２に設けられた測定装置Ｍ３、Ｍ４、Ｍ５が示されている。
【００６５】
設備情報Ｚ１は、所定地域Ｎ１００（図２）内の需要家に設けられている測定装置（例えば測定装置Ｍ３、Ｍ４、Ｍ５）が、メッシュＮ１乃至Ｎ１５のうちの何れのメッシュ内に設けられているかを示す情報である。設備情報Ｚ１では、測定装置Ｍ３、Ｍ４、Ｍ５に対して、当該測定装置Ｍ３、Ｍ４、Ｍ５が設けられているメッシュが対応付けられている。設備情報Ｚ１においては、測定装置Ｍ３に対してメッシュＮ１が対応付けられ、測定装置Ｍ４に対してメッシュＮ１が対応付けられ、測定装置Ｍ５に対してメッシュＮ２が対応付けられている。
【００６６】
尚、例えば、設備情報Ｚ１においては、測定装置Ｍ３、Ｍ４、Ｍ５夫々に対して固有の番号を付し、当該番号とメッシュとが対応付けられていることとしてもよい。
【００６７】
設備情報Ｚ１は、例えば、入力部８１を用いて、入力されたり更新されたりすることとする。
【００６８】
＝＝＝潮流情報＝＝＝
以下、図５を参照して、本実施形態における潮流情報について説明する。図５は、本実施形態における潮流情報を示す図である。尚、図５の潮流情報Ｚ２においては、説明の便宜上、メッシュＮ１、Ｎ２に設けられた測定装置Ｍ３、Ｍ４、Ｍ５夫々から出力された測定信号Ｓ３、Ｓ４、Ｓ５に基づく潮流情報が示されている。
【００６９】
潮流情報Ｚ２とは、送受信部８４で受信した測定信号Ｓ３、Ｓ４、Ｓ５に基づく情報である。つまり、潮流情報Ｚ２は、過去における情報である。潮流情報Ｚ２では、測定信号Ｓ３、Ｓ４、Ｓ５に示されている時刻と、測定信号Ｓ３に示されている電力Ｐ３１（以下、「逆潮流Ｐ３１」とも称する）の値と、測定信号Ｓ４に示されている電力Ｐ４１（以下、「逆潮流Ｐ４１」とも称する）の値と、測定信号Ｓ５に示されている電力Ｐ５１（以下、「逆潮流Ｐ５１」とも称する）の値とが対応付けられている。潮流情報Ｚ２においては、送受信部８４が各信号を受信する毎に、当該対応付けられた情報が順次記憶される。
【００７０】
潮流情報Ｚ２においては、時刻Ｔ１乃至Ｔｎは、時刻Ｔ１乃至Ｔｎのうち時刻Ｔ１が最も現在に近い過去の時刻であり、時刻Ｔｎが最も現在から遠い過去の時刻となるように時系列に並べられている。
【００７１】
又、潮流情報Ｚ２における、逆潮流Ｐ３１（Ｔ１）、Ｐ３１（Ｔ２）、Ｐ３１（Ｔｎ）は夫々、時刻Ｔ１、Ｔ２、Ｔｎにおける逆潮流Ｐ３１の値を示し、逆潮流Ｐ４１（Ｔ１）、Ｐ４１（Ｔ２）、Ｐ４１（Ｔｎ）は夫々、時刻Ｔ１、Ｔ２、Ｔｎにおける逆潮流Ｐ４１の値を示し、逆潮流Ｐ５１（Ｔ１）、Ｐ５１（Ｔ２）、Ｐ５１（Ｔｎ）は夫々、時刻Ｔ１、Ｔ２、Ｔｎにおける逆潮流Ｐ５１の値を示している。
【００７２】
＝＝＝気象情報＝＝＝
以下、図６を参照して、本実施形態における気象情報について説明する。図６は、本実施形態における気象情報を示す図である。尚、図６の気象情報Ｚ３においては、説明の便宜上、気象観測装置７１から出力された観測信号Ｓ７１に基づく気象情報が示されている。
【００７３】
気象情報Ｚ３は、送受信部８４で受信した観測信号Ｓ７１に基づく情報である。つまり、気象情報Ｚ３は、メッシュＮ１に関する過去における情報である。気象情報Ｚ３では、観測信号Ｓ７１に示されている時刻と、観測信号Ｓ７１に示されている気温、湿度、降水量、雲量、気圧、風向、風速夫々を示す値とが対応付けられている。尚、気温、湿度、降水量、雲量、気圧、風向、風速夫々を示す値を夫々、単に、気温、湿度、降水量、雲量、気圧、風向、風速とも称することとする。気象情報Ｚ３においては、送受信部８４が各信号を受信する毎に、当該対応付けられた情報が順次記憶される。
【００７４】
気象情報Ｚ３における時刻Ｔ１乃至Ｔｎは、潮流情報Ｚ２における時刻Ｔ１乃至Ｔｎと同様な構成である。
【００７５】
又、気象情報Ｚ３における、気温Ａ（Ｔ１）、Ａ（Ｔ２）、Ａ（Ｔｎ）は夫々、時刻Ｔ１、Ｔ２、ＴｎにおけるメッシュＮ１での気温を示し、湿度Ｂ（Ｔ１）、Ｂ（Ｔ２）、Ｂ（Ｔｎ）は夫々、時刻Ｔ１、Ｔ２、ＴｎにおけるメッシュＮ１での湿度を示し、降水量Ｄ（Ｔ１）、Ｄ（Ｔ２）、Ｄ（Ｔｎ）は夫々、時刻Ｔ１、Ｔ２、ＴｎにおけるメッシュＮ１での降水量を示し、雲量Ｅ（Ｔ１）、Ｅ（Ｔ２）、Ｅ（Ｔｎ）は夫々、時刻Ｔ１、Ｔ２、ＴｎにおけるメッシュＮ１での雲量を示し、気圧Ｆ（Ｔ１）、Ｆ（Ｔ２）、Ｆ（Ｔｎ）は夫々、時刻Ｔ１、Ｔ２、ＴｎにおけるメッシュＮ１での気圧を示し、風向Ｈ（Ｔ１）、Ｈ（Ｔ２）、Ｈ（Ｔｎ）は夫々、時刻Ｔ１、Ｔ２、ＴｎにおけるメッシュＮ１での風向を示し、風速Ｑ（Ｔ１）、Ｑ（Ｔ２）、Ｑ（Ｔｎ）は夫々、時刻Ｔ１、Ｔ２、ＴｎにおけるメッシュＮ１での風速を示している。
【００７６】
＝＝＝過去情報＝＝＝
以下、図７を参照して、本実施形態における過去情報について説明する。図７は、本実施形態における過去情報を示す図である。
【００７７】
過去情報Ｚ４は、メッシュＮ１における過去情報である。尚、メッシュＮ２乃至Ｎ１５夫々における過去情報の構成は、メッシュＮ１における過去情報Ｚ４の構成と同様であるので、その説明については省略する。
【００７８】
過去情報Ｚ４においては、潮流情報Ｚ２及び気象情報Ｚ３に示されている時刻と、メッシュＮ１における余剰電力ＰＮ１の値と、気象情報Ｚ３に示されているメッシュＮ１における気温、湿度、降水量、雲量、気圧、風向、風速とが対応付けられている。尚、メッシュＮ１における余剰電力ＰＮ１の値は、逆潮流Ｐ３１の値と逆潮流Ｐ４１の値との和である。
【００７９】
又、過去情報Ｚ４における、余剰電力ＰＮ１（Ｔ１）、ＰＮ１（Ｔ２）、ＰＮ１（Ｔｎ）は夫々、メッシュＮ１における時刻Ｔ１、Ｔ２、Ｔｎの余剰電力の値を示す。余剰電力ＰＮ１（Ｔ１）は、逆潮流Ｐ３１（Ｔ１）と、逆潮流Ｐ４１（Ｔ１）との和である。余剰電力ＰＮ１（Ｔ２）は、逆潮流Ｐ３１（Ｔ２）と、逆潮流Ｐ４１（Ｔ２）との和である。余剰電力ＰＮ１（Ｔｎ）は、逆潮流Ｐ３１（Ｔｎ）と、逆潮流Ｐ４１（Ｔｎ）との和である。尚、これらの演算は、例えば、予測式生成部８６によって行われることとする。
【００８０】
＝＝＝予測式生成部＝＝＝
以下、図３乃至図７を参照して、本実施形態における予測式生成部について説明する。
【００８１】
＝過去情報の生成・記憶＝
予測式生成部８６は、設備情報Ｚ１、潮流情報Ｚ２、気象情報Ｚ３等に基づいて、メッシュＮ１に関する過去情報Ｚ４を生成する。予測式生成部８６は、過去情報Ｚ４を第３の領域８５３に記憶させる。
【００８２】
＝予測式の生成＝
予測式生成部８６は、過去情報Ｚ４に基づいて、メッシュＮ１における余剰電力を予測するための予測式（式１）を生成する。
【００８３】
0005502243.tif 000002
尚、係数ｐ１乃至ｐｉ、係数ａ１乃至ａｉ、係数ｂ１乃至ｂｉ、係数ｄ１乃至ｄｉ、係数ｅ１乃至ｅｉ、係数ｆ１乃至ｆｉ、係数ｈ１乃至ｈｉ、係数ｑ１乃至ｑｉは、過去情報Ｚ４に示されている情報等に基づいて、例えば重回帰分析を用いて、予測式生成部８６により算出（決定）される定数である。
【００８４】
尚、係数ｐ１乃至ｐｉは、第１定数に相当し、夫々同様な定数であってもよく、相互に異なる定数であってもよい。又、係数ａ１乃至ａｉ、係数ｂ１乃至ｂｉ、係数ｄ１乃至ｄｉ、係数ｅ１乃至ｅｉ、係数ｆ１乃至ｆｉ、係数ｈ１乃至ｈｉ、係数ｑ１乃至ｑｉは、第２定数に相当し、夫々同様な定数であってもよく、相互に異なる定数であってもよい。
【００８５】
整数ｉは、例えば整数１以上且つ過去情報Ｚ４における整数ｎよりも小さい整数に対応した整数である。過去の余剰電力ＰＮ１（ｔ−１）、ＰＮ１（ｔ−２）、ＰＮ１（ｔ−ｉ）は夫々、例えば、過去情報Ｚ４の過去の余剰電力ＰＮ１（Ｔ１）、ＰＮ１（Ｔ２）、ＰＮ１（Ｔｉ）に対応している。過去の気温Ａ（ｔ−１）、Ａ（ｔ−２）、Ａ（ｔ−ｉ）は夫々、例えば、過去情報Ｚ４の過去の気温Ａ（Ｔ１）、Ａ（Ｔ２）、Ａ（Ｔｉ）に対応している。過去の湿度Ｂ（ｔ−１）、Ｂ（ｔ−２）、Ｂ（ｔ−ｉ）は夫々、例えば、過去情報Ｚ４の過去の湿度Ｂ（Ｔ１）、Ｂ（Ｔ２）、Ｂ（Ｔｉ）に対応している。過去の降水量Ｄ（ｔ−１）、Ｄ（ｔ−２）、Ｄ（ｔ−ｉ）は夫々、例えば、過去情報Ｚ４の過去の降水量Ｄ（Ｔ１）、Ｄ（Ｔ２）、Ｄ（Ｔｉ）に対応している。過去の雲量Ｅ（ｔ−１）、Ｅ（ｔ−２）、Ｅ（ｔ−ｉ）は夫々、例えば、過去情報Ｚ４の過去の雲量Ｅ（Ｔ１）、Ｅ（Ｔ２）、Ｅ（Ｔｉ）に対応している。過去の気圧Ｆ（ｔ−１）、Ｆ（ｔ−２）、Ｆ（ｔ−ｉ）は夫々、例えば、過去情報Ｚ４の過去の気圧Ｆ（Ｔ１）、Ｆ（Ｔ２）、Ｆ（Ｔｉ）に対応している。過去の風向Ｈ（ｔ−１）、Ｈ（ｔ−２）、Ｈ（ｔ−ｉ）は夫々、例えば、過去情報Ｚ４の過去の風向Ｈ（Ｔ１）、Ｈ（Ｔ２）、Ｈ（Ｔｉ）に対応している。過去の風速Ｑ（ｔ−１）、Ｑ（ｔ−２）、Ｑ（ｔ−ｉ）は夫々、例えば、過去情報Ｚ４の過去の風速Ｑ（Ｔ１）、Ｑ（Ｔ２）、Ｑ（Ｔｉ）に対応している。
【００８６】
式１においては、時刻ｔ（第１時間）における余剰電力ＰＮ１（ｔ）の値と、時刻ｔよりも過去（前）の時間帯（第２時間）における例えば時刻ｔ−１、ｔ−２乃至ｔ−ｉ夫々における余剰電力の値及び時刻ｔ−１、ｔ−２乃至ｔ−ｉ夫々における気象情報を示す値との相関が示されている。
【００８７】
又、式１においては、所定時刻ｔにおけるメッシュＮ１における余剰電力ＰＮ１（ｔ）は、当該所定時刻ｔよりも過去の時刻（例えば、時刻ｔ−１、ｔ−２、・・・、ｔ−ｉ）夫々におけるメッシュＮ１における余剰電力、気温、湿度、降水量、雲量、気圧、風向、風速等に基づいて算出されることが示されている。従って、当該式１を用いて、メッシュＮ１における余剰電力の予測値を算出することが可能となる。
【００８８】
予測式生成部８６は、生成された予測式（例えば式１）を示す情報を、例えば、第３の領域８５３に記憶することとしてもよい。
【００８９】
予測式生成部８６は、メッシュＮ１における余剰電力を予測するための予測式の生成と同様に、メッシュＮ２乃至Ｎ１５における余剰電力を予測するための予測式を夫々生成する。
【００９０】
＝＝＝予測部＝＝＝
以下、図８を参照して、本実施形態における予測部について説明する。図８は、本実施形態における未来の時刻と予測部による予測結果とを示す図である。
【００９１】
尚、図８における、時刻Ｔｆ１乃至Ｔｆｎは、時刻Ｔｆ１乃至Ｔｆｎのうち時刻Ｔｆ１が最も現在に近い未来の時刻であり、時刻Ｔｆｎが最も現在から遠い未来の時刻となるように時系列に並べられている。時刻Ｔｆ１乃至Ｔｆｎは、例えば、現在の時刻の３０分後から１日経過（２４時間経過）後までの間における３０分毎の各時刻を示しているものとする。尚、時刻Ｔｆ１乃至Ｔｆｎは、例えば、翌日の午前０時から、翌々日の午前０時までの後までの間における３０分毎の各時刻を示しているものとしてもよい。
【００９２】
又、図８における、余剰電力の予測値ＰＮ１（Ｔｆ１）、ＰＮ１（Ｔｆ２）、ＰＮ１（Ｔｆｎ）は夫々、例えば、未来の時刻Ｔｆ１、Ｔｆ２、ＴｆｎにおけるメッシュＮ１の余剰電力の予測値を示している。余剰電力の予測値ＰＮ２（Ｔｆ１）、ＰＮ２（Ｔｆ２）、ＰＮ２（Ｔｆｎ）は夫々、例えば、未来の時刻Ｔｆ１、Ｔｆ２、ＴｆｎにおけるメッシュＮ２の余剰電力の予測値を示している。余剰電力の予測値ＰＮ１５（Ｔｆ１）、ＰＮ１５（Ｔｆ２）、ＰＮ１５（Ｔｆｎ）は夫々、例えば、未来の時刻Ｔｆ１、Ｔｆ２、ＴｆｎにおけるメッシュＮ１５の余剰電力の予測値を示している。余剰電力の予測値ＰＮ（Ｔｆ１）、ＰＮ（Ｔｆ２）、ＰＮ（Ｔｆｎ）は夫々、例えば、未来の時刻Ｔｆ１、Ｔｆ２、Ｔｆｎにおける所定地域Ｎ１００の余剰電力の予測値を示している。
【００９３】
予測部８７は、予測式生成部８６で生成された予測式に基づいて、メッシュＮ１乃至Ｎ１５夫々における余剰電力の予測値（例えば、余剰電力の予測値ＰＮ１乃至ＰＮ１５）を算出する。
【００９４】
予測部８７は、算出されたメッシュＮ１乃至Ｎ１５夫々における余剰電力の予測値に基づいて、所定地域Ｎ１００における余剰電力の予測値を算出する。予測部８７は、各時刻（例えば、時刻Ｔｆ１乃至Ｔｆｎ）における各メッシュの余剰電力の予測値（例えば、ＰＮ１乃至ＰＮ１５）の総和を、所定地域Ｎ１００にける余剰電力の予測値ＰＮとして算出する。
【００９５】
例えば、予測部８７は、時刻Ｔｆ１における余剰電力の予測値ＰＮ１（Ｔｆ１）、ＰＮ２（Ｔｆ１）乃至ＰＮ１５（Ｔｆ１）の総和を、時刻Ｔｆ１における所定地域Ｎ１００の余剰電力の予測値ＰＮ（Ｔｆ１）とする。例えば、予測部８７は、時刻Ｔｆ２における余剰電力の予測値ＰＮ１（Ｔｆ２）、ＰＮ２（Ｔｆ２）乃至ＰＮ１５（Ｔｆ２）の総和を、時刻Ｔｆ２における所定地域Ｎ１００の余剰電力の予測値ＰＮ（Ｔｆ２）とする。例えば、予測部８７は、時刻Ｔｆｎにおける余剰電力の予測値ＰＮ１（Ｔｆｎ）、ＰＮ２（Ｔｆｎ）乃至ＰＮ１５（Ｔｆｎ）の総和を、時刻Ｔｆｎにおける所定地域Ｎ１００の余剰電力の予測値ＰＮ（Ｔｆｎ）とする。
【００９６】
＝＝＝予測装置の動作＝＝＝
以下、図９及び図１０を参照して、本実施形態における予測装置の動作について説明する。図９は、本実施形態における予測装置の動作を示すフローチャートである。図１０は、本実施形態における予測装置の予測結果の一例を示す図である。尚、図１０は、例えば翌日の一日における、所定地域Ｎ１００における余剰電力の予測値ＰＮが示されている。横軸Ｘ１は、翌日の一日における時間を示している。横軸Ｘ１におけるＴａ１は例えば午前０時を示し、時刻Ｔａ２は日の出の時刻に対応する例えば午前７時を示し、時刻Ｔａ３は日の入りの時刻に対応する例えば午後５時を示していることとする。縦軸Ｙ１は、所定地域Ｎ１００における余剰電力の予測値ＰＮの大きさを示している。
【００９７】
例えば、第１の領域８５１に記憶されている予測装置８を動作させるためのプログラムの実行が開始されて、制御部８８が、予測装置８の制御動作を開始したところから説明する。
【００９８】
予測装置８は、予測要求の受付を開始する（ステップＳｔ１１）。尚、予測要求とは、予測装置８による予測動作を開始させるための命令である。予測要求は、例えば、入力部８１を介して予測装置８に入力されることとしてもよい。
【００９９】
予測装置８は、予測要求が入力された後、メッシュＮ１乃至Ｎ１５毎に予測式（例えば式１等）を生成する。（ステップＳｔ１２）。
【０１００】
予測装置８は、当該生成された予測式に基づいて、メッシュＮ１乃至Ｎ１５夫々における余剰電力の予測値（例えば、余剰電力の予測値ＰＮ１乃至ＰＮ１５）を算出する（ステップＳｔ１３）。
【０１０１】
予測装置８は、ステップＳｔ１３の算出結果に基づいて、所定地域Ｎ１００における余剰電力の予測値ＰＮを算出する（ステップＳｔ１４）。予測装置８は、前述したように、各時刻（例えば、時刻Ｔｆ１乃至Ｔｆｎ）における各メッシュの余剰電力の予測値（例えば、ＰＮ１乃至ＰＮ１５）の総和を、所定地域Ｎ１００にける各時刻の余剰電力の予測値ＰＮとして算出する。
【０１０２】
予測装置８は、ステップＳｔ１４での算出結果を出力する（ステップＳｔ１５）。予測装置８は、例えば、当該算出結果を示す情報を表示部８３に表示させたり出力部８２から出力したりする。尚、予測装置８は、例えば、図１０のように翌日における一日の時間に対応付けた状態で、ステップＳｔ１４での算出結果を出力することとしてもよい。
【０１０３】
[第２実施形態]
＝＝＝配電系統＝＝＝
以下、図１１を参照して、本実施形態における配電系統について説明する。図１１は、本実施形態における配電系統を示す図である。尚、図１と同様な構成については、同一の符号を付し、その説明については省略する。
【０１０４】
配電系統１００Ａは、予測装置８Ａ、気象情報装置７３（推定装置）を有する。尚、予測装置８Ａ、測定装置Ｍ３、Ｍ４、Ｍ５、気象情報装置７３が、電力予測装置に相当する。
【０１０５】
＝＝＝予測装置＝＝＝
以下、図３及び図１１を参照して、本実施形態における予測装置について説明する。予測装置８Ａ（図３）は、記憶部８５Ａ、予測式生成部８６Ａを有する。
【０１０６】
記憶部８５Ａは、例えば、第２の領域８５２Ａを有する。
【０１０７】
第２の領域８５２Ａには、気象情報Ｚ２３（図６）が記憶される。尚、気象情報Ｚ２３は、送受信部８４で受信した気象信号Ｓ７３に基づく情報である。
【０１０８】
予測式生成部８６Ａは、気象情報Ｚ２３等に基づいて、過去情報Ｚ２４（図７）を生成し、当該過去情報Ｚ２４等に基づいて、予測式を生成する。つまり、予測式生成部８６Ａは、気象情報装置７３の推定結果に基づいて、式１における係数ｐ１乃至ｐｉ、係数ａ１乃至ａｉ、係数ｂ１乃至ｂｉ、係数ｄ１乃至ｄｉ、係数ｅ１乃至ｅｉ、係数ｆ１乃至ｆｉ、係数ｈ１乃至ｈｉ、係数ｑ１乃至ｑｉを例えば重回帰分析等を用いて算出（決定）する。
【０１０９】
前述したように、予測装置８は、電力Ｐ３１１の値と電力Ｐ３１２の値との差分に応じた電力Ｐ３１の値と、電力Ｐ４１１の値と電力Ｐ４１２の値との差分に応じた電力Ｐ４１の値と、の合計値に基づく、メッシュＮ１における余剰電力の予測値を算出する。予測装置８は、予測部８７を有する。予測部８７は、予測式（式１）に基づいて、例えば、メッシュＮ１における余剰電力の予測値ＰＮ１を算出する。予測式においては、時刻ｔにおける余剰電力ＰＮ１（ｔ）の値と、時刻ｔよりも過去（前）の時間帯における例えば時刻ｔ−１、ｔ−２乃至ｔ−ｉ夫々における余剰電力の値及び時刻ｔ−１、ｔ−２乃至ｔ−ｉ夫々における気象情報を示す値との相関が示されている。つまり、予測装置８は、上述の相関に基づいて、メッシュＮ１における余剰電力の値を予測している。従って、予測装置８は、メッシュＮ１における余剰電力の値を予測する予測精度を向上させることができる。又、メッシュＮ１における余剰電力の値を予測する際に、例えば、電力Ｐ３１１、Ｐ３１２、Ｐ４１１、Ｐ４１２の予測値を算出する必要がない。従って、予測装置８は、電力Ｐ３１１、Ｐ３１２、Ｐ４１１、Ｐ４１２の予測値を算出するための比較的煩雑な演算を省略して、メッシュＮ１における余剰電力の値を比較的容易に予測することができる。又、予測装置８は、第１の領域８５１に記憶されているプログラムに基づいて、例えば自動的に動作することになる。従って、メッシュＮ１における余剰電力の値を予測する作業者は、メッシュＮ１における余剰電力の値を予測するための演算等を、例えば手計算で行うことが不要となる。従って、当該作業者によるメッシュＮ１における余剰電力の値を予測する作業の作業効率を向上させることができる。
【０１１０】
又、式１においては、時刻ｔにおける余剰電力ＰＮ１（ｔ）の値と、時刻ｔよりも過去（前）の時間帯における例えば時刻ｔ−１、ｔ−２乃至ｔ−ｉ夫々における余剰電力ＰＮ１（ｔ−１）、ＰＮ１（ｔ−２）乃至ＰＮ１（ｔ−ｉ）との相関が示されている。測定装置Ｍ３、Ｍ４は夫々、電力Ｐ３１、Ｐ４１を測定する。予測式生成部８６は、測定装置Ｍ３、Ｍ４の測定結果に応じた過去情報Ｚ４（図７）に基づいて、係数ｐ１乃至ｐｉを算出（決定）する。メッシュＮ１における余剰電力の値を予測する際に、測定装置Ｍ３、Ｍ４の測定結果を当該予測に反映させることができる。従って、予測装置８は、メッシュＮ１における余剰電力の値を予測する予測精度を向上させることができる。
【０１１１】
又、式１においては、時刻ｔにおける余剰電力ＰＮ１（ｔ）の値と、時刻ｔよりも過去（前）の時間帯における例えば時刻ｔ−１、ｔ−２乃至ｔ−ｉ夫々における気象情報を示す値との相関が更に示されている。気象観測装置７１は、メッシュＮ１における気象を観測する。予測式生成部８６は、気象観測装置７１の観測結果に応じた過去情報Ｚ４に基づいて、係数ａ１乃至ａｉ、係数ｂ１乃至ｂｉ、係数ｄ１乃至ｄｉ、係数ｅ１乃至ｅｉ、係数ｆ１乃至ｆｉ、係数ｈ１乃至ｈｉ、係数ｑ１乃至ｑｉを算出（決定）する。メッシュＮ１における余剰電力の値を予測する際に、気象観測装置７１の観測結果を当該予測に反映させることができる。従って、予測装置８は、メッシュＮ１における余剰電力の値を予測する予測精度を向上させることができる。
【０１１２】
又、気象情報装置７３（図１１）は、メッシュＮ１における気温、湿度、降水量、雲量、気圧、風向、風速を推定する。予測式生成部８６Ａは、気象情報装置７３の推定結果に応じた過去情報Ｚ２４に基づいて、式１における係数ａ１乃至ａｉ、係数ｂ１乃至ｂｉ、係数ｄ１乃至ｄｉ、係数ｅ１乃至ｅｉ、係数ｆ１乃至ｆｉ、係数ｈ１乃至ｈｉ、係数ｑ１乃至ｑｉを算出（決定）する。メッシュＮ１における余剰電力の値を予測する際に、気象情報装置７３の推定結果を当該予測に反映させることができる。従って、予測装置８Ａ（図１１）は、メッシュＮ１における余剰電力の値を予測する予測精度を向上させることができる。又、例えば、配電系統１００Ａにおいて、メッシュＮ１における気象を観測するための観測装置を設ける必要がない。よって、当該観測装置を配電系統１００Ａに設けるためのコストを削減することができる。従って、予測装置８Ａは、メッシュＮ１における余剰電力の値を比較的低コストで予測することができる。
【０１１３】
又、気象情報Ｚ３においては、メッシュＮ１の気温を示す情報が含まれている。メッシュＮ１における余剰電力の値を予測する際に、メッシュＮ１の気温を示す情報を当該予測に反映させることができる。よって、例えば電力Ｐ３１１の値及び電力Ｐ４１１の値との相関が比較的強い気温を示す情報を、メッシュＮ１における余剰電力の値の予測に反映させることができる。従って、予測装置８における、メッシュＮ１における余剰電力の値を予測する予測精度を更に向上させることができる。
【０１１４】
又、気象情報Ｚ３においては、メッシュＮ１の雲量を示す情報が含まれている。メッシュＮ１における余剰電力の値を予測する際に、メッシュＮ１の雲量を示す情報を当該予測に反映させることができる。よって、例えば電力Ｐ３１２の値及び電力Ｐ４１２の値との相関が比較的強い雲量を示す情報を、メッシュＮ１における余剰電力の値の予測に反映させることができる。従って、予測装置８における、メッシュＮ１における余剰電力の値を予測する予測精度を更に向上させることができる。
【０１１５】
又、気象情報Ｚ３においては、メッシュＮ１の風速を示す情報が含まれている。メッシュＮ１における余剰電力の値を予測する際に、メッシュＮ１の風速を示す情報を当該予測に反映させることができる。よって、例えば電力Ｐ３１２の値及び電力Ｐ４１２の値との相関が比較的強い風速を示す情報を、メッシュＮ１における余剰電力の値の予測に反映させることができる。従って、予測装置８における、メッシュＮ１における余剰電力の値を予測する予測精度を更に向上させることができる。
【０１１６】
又、発電機Ｇ３乃至Ｇ５は、例えば太陽光発電装置である。よって、太陽光発電装置からの出力電力Ｐ３１２の値、出力電力Ｐ４１２の値を、メッシュＮ１における余剰電力の値の予測に反映させることができる。従って、予測装置８における、メッシュＮ１における余剰電力の値を予測する予測精度を更に向上させることができる。
【０１１７】
又、発電機Ｇ３乃至Ｇ５は、例えば風力発電装置である。よって、風力発電装置からの出力電力Ｐ３１２の値、出力電力Ｐ４１２の値を、メッシュＮ１における余剰電力の値の予測に反映させることができる。従って、予測装置８における、メッシュＮ１における余剰電力の値を予測する予測精度を更に向上させることができる。
【０１１８】
又、負荷Ｒ３、Ｒ４はメッシュＮ１内に設けられ、負荷Ｒ５はメッシュＮ２内に設けられる。発電機Ｇ３、Ｇ４はメッシュＮ１内に設けれ、発電機Ｇ５はメッシュＮ２内に設けられる。予測装置８は、例えば、メッシュＮ１乃至Ｎ１５夫々における余剰電力の予測値を算出する。更に、予測装置８は、メッシュＮ１乃至Ｎ１５夫々における余剰電力の予測値の総和を、所定地域Ｎ１００における余剰電力の予測値として算出する。よって、例えば、メッシュＮ１乃至Ｎ１５夫々における余剰電力の値及び気象情報を、所定地域Ｎ１００における余剰電力の値の予測に反映させることができる。従って、予測装置８は、所定地域Ｎ１００における余剰電力の値を予測する予測精度を向上させることができる。
【０１１９】
尚、上記第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１２０】
第２実施形態においては、気象情報装置７３から出力される気象信号Ｓ７３に基づいて、予測式生成部８６Ａが過去情報Ｚ２４を生成することについて説明したが、これに限定されるものではない。例えば、配電系統１００Ａ（図１１）に対して、第１実施形態における気象観測装置７１、７２を設けて、予測式生成部８６Ａが、観測信号Ｓ７１、Ｓ７２に示されている情報に基づいて、気象信号Ｓ７３に示されている情報を補正することとしてもよい。そして、当該補正された情報に基づいて、予測式生成部８６Ａが過去情報Ｚ２４を生成することとしてもよい。
【符号の説明】
【０１２１】
８、８Ａ  予測装置
７１、７２  気象観測装置
７３  気象情報装置
８６、８６Ａ  予測式生成部
８７  予測部
１００、１００Ａ  配電系統
２００  変電所
３００、４００、５００  需要家
Ｌ１０、Ｌ３、Ｌ４、Ｌ５  配電線
Ｍ３、Ｍ４、Ｍ５  測定装置
Ｎ１乃至Ｎ１５  メッシュ
Ｎ１００  所定地域
【要約】
電力線に接続される電力負荷に供給される第１電力の値と、前記電力負荷に対して電力を供給するべく前記電力線に接続される分散型電源から出力される第２電力の値と、の差分に応じた第３電力の値を予測する電力予測装置であって、第１時間における前記第３電力の値と、前記第１時間よりも前の第２時間における前記第３電力の値及び前記第２時間における前記電力線が設けられている位置の気象情報と、の相関を示す相関式に基づいて、前記第３電力の値を予測する予測部、を備える。【図１】
0005502243.tif 000003
【図２】
0005502243.tif 000004
【図３】
0005502243.tif 000005
【図４】
0005502243.tif 000006
【図５】
0005502243.tif 000007
【図６】
0005502243.tif 000008
【図７】
0005502243.tif 000009
【図８】
0005502243.tif 000010
【図９】
0005502243.tif 000011
【図１０】
0005502243.tif 000012
【図１１】
0005502243.tif 000013